(57)【要約】  【課題】表示内容の見やすさを損なわないように表示輝度を低下させる電子カメラを提供する。  【解決手段】電子カメラの無操作状態が少なくともタイムアップ時間Ｔ継続されると、ＣＰＵ１１は、表示装置４を透過照明するバックライト５の点灯輝度を所定輝度（たとえば、最大輝度の５０％）まで徐々に低下させる。外光輝度が高い場合にはタイムアップ時間Ｔを長くする（１５秒）。外光輝度が高くない場合にはタイムアップ時間Ｔを標準にする（１０秒）。電池残量が少ない場合はタイムアップ時間Ｔを短くする（５秒）。表示装置４の表示輝度を低下させた状態で操作部材８が操作されると、ただちにバックライト５の点灯輝度を１００％に復帰させる。  【選択図】図１
2006157347.tif 000002
【特許請求の範囲】
【請求項１】
撮影に関する情報を表示する表示手段と、
前記表示手段による表示輝度を調節する輝度調節手段と、
操作に応じて操作信号を出力する操作手段と、
所定時間継続して前記操作手段から操作信号が出力されないとき、前記表示輝度を段階的に低下させるように前記輝度調節手段を制御する制御手段とを備えることを特徴とする電子カメラ。
【請求項２】
請求項１に記載の電子カメラにおいて、
前記制御手段は、前記表示輝度を低下させた状態で前記操作手段から操作信号が出力されたとき、前記低下させる前の表示輝度へただちに戻すように前記輝度調節手段をさらに制御することを特徴とする電子カメラ。
【請求項３】
請求項１または２に記載の電子カメラにおいて、
電源の状態を検出する電源状態検出手段をさらに備え、
前記制御手段は、前記検出された電源の状態に応じて前記所定時間を増減することを特徴とする電子カメラ。
【請求項４】
請求項１〜３のいずれか一項に記載の電子カメラにおいて、
輝度情報を検出する輝度情報検出手段をさらに備え、
前記制御手段は、前記検出された輝度情報に応じて前記所定時間を増減することを特徴とする電子カメラ。
【請求項５】
請求項４に記載の電子カメラにおいて、
前記制御手段は、前記検出された輝度情報に応じて前記低下させる表示輝度の下限値を定めるように前記輝度調節手段を制御することを特徴とする電子カメラ。
【請求項６】
撮影に関する情報を表示する表示手段と、
前記表示手段による表示輝度を調節する輝度調節手段と、
操作に応じて操作信号を出力する操作手段と、
所定時間継続して前記操作手段から操作信号が出力されないとき、前記表示輝度を第１の速度で低下させ、前記表示輝度を低下させた状態で前記操作手段から操作信号が出力されたとき、前記低下させる前の表示輝度に前記第１の速度より速い第２の速度で戻すように前記輝度調節手段を制御する制御手段とを備えることを特徴とする電子カメラ。
【発明の詳細な説明】
【技術分野】
【０００１】
本発明は、表示装置を備える電子カメラに関する。
【背景技術】
【０００２】
液晶ディスプレイパネルなどを備える電子機器において、一定時間操作入力がない場合に上記液晶パネルを背後から照明するバックライトの輝度を下げる技術が知られている（特許文献１参照）。特許文献１によれば、所定時間継続して操作されない場合にバックライトの輝度が下げられ、輝度が下がっている状態で操作されるとバックライトの輝度が上げられる。
【０００３】
【特許文献１】実開平５−５９５２０号公報
【発明の開示】
【発明が解決しようとする課題】
【０００４】
特許文献１の技術は、無操作状態が当該機器の未使用状態とみなせる場合には有効であるが、無操作の状態であっても当該機器が使用中の場合には不都合なことがある。たとえば、電子カメラで液晶パネルに表示されるスルー画像を観察しながらシャッターチャンスを待っている状態において、スルー画像の表示輝度が急に低下すると表示内容の見やすさが損なわれる。具体的には、撮影者の目が輝度変化に追従できなくなり、一時的に表示内容を観察できなくなる。この結果、輝度変化に目が慣れて再びスルー画像を観察できるようになるまでに時間がかり、シャッターチャンスを逃してしまうおそれがあった。
【課題を解決するための手段】
【０００５】
請求項１に記載の発明による電子カメラは、撮影に関する情報を表示する表示手段と、表示手段による表示輝度を調節する輝度調節手段と、操作に応じて操作信号を出力する操作手段と、所定時間継続して操作手段から操作信号が出力されないとき、表示輝度を段階的に低下させるように輝度調節手段を制御する制御手段とを備えることを特徴とする。
上記電子カメラの制御手段は、表示輝度を低下させた状態で操作手段から操作信号が出力されたとき、低下させる前の表示輝度へただちに戻すように輝度調節手段をさらに制御することもできる。
電子カメラはさらに、電源の状態を検出する電源状態検出手段を備えてもよく、この場合の制御手段は、検出された電源の状態に応じて所定時間を増減することもできる。
電子カメラに輝度情報を検出する輝度情報検出手段をさらに備えてもよく、この場合の制御手段は、検出された輝度情報に応じて所定時間を増減することもできる。また、制御手段は、検出された輝度情報に応じて低下させる表示輝度の下限値を定めるように輝度調節手段を制御することもできる。
請求項６に記載の発明による電子カメラは、撮影に関する情報を表示する表示手段と、表示手段による表示輝度を調節する輝度調節手段と、操作に応じて操作信号を出力する操作手段と、所定時間継続して操作手段から操作信号が出力されないとき、表示輝度を第１の速度で低下させ、表示輝度を低下させた状態で操作手段から操作信号が出力されたとき、低下させる前の表示輝度に第１の速度と異なる第２の速度で戻すように輝度調節手段を制御する制御手段とを備えることを特徴とする。
【発明の効果】
【０００６】
本発明による電子カメラでは、表示内容の見やすさを損なわないように表示輝度を低下させることができる。
【発明を実施するための最良の形態】
【０００７】
以下、図面を参照して本発明を実施するための最良の形態について説明する。図１は、本発明の一実施の形態による電子カメラのブロック図である。図１において電子カメラは、撮影レンズ１と、撮像素子２と、画像処理回路３と、表示装置４と、バックライト５と、輝度制御回路６と、メモリ７と、操作部材８と、フォーカス制御機構９と、ズーム制御機構１０と、ＣＰＵ１１とを含む。
【０００８】
撮影レンズ１は、ズームレンズ１ａおよびフォーカスレンズ１ｂを有する。ズームレンズ１ａは、ズーム制御機構１０によって光軸方向に進退駆動される。ズームレンズ１ａが進退駆動されることで撮影画角が変化する。フォーカスレンズ１ｂは、フォーカス制御機構９によって光軸方向に進退駆動される。フォーカスレンズ１ｂが進退駆動されることで撮影レンズ１のピント調節が行われる。
【０００９】
撮像素子２はＣＣＤなどによって構成される。撮像素子２は、その撮像面上に結像される被写体像を撮像して撮像信号を出力する。画像処理回路３は、アナログ撮像信号をディジタル信号に変換した上で所定の画像処理を施す。画像処理回路３はさらに、画像処理後の画像データを用いて映像信号を生成して表示装置４へ送出したり、画像データを所定のデータ形式にフォーマット変換したりする。
【００１０】
表示装置４は、透過型液晶表示パネルによって構成され、画像処理回路３から入力される映像信号による画像などを再生表示する。表示画像は、撮影指示前に撮像素子２で逐次撮像されるスルー画、撮影指示後に撮像素子２で撮像されるスチル画、メモリ７に記録されている画像データによる再生画がある。
【００１１】
バックライト５は表示装置４を背後から透過照明する。輝度制御回路６は、バックライト５の点灯、消灯および点灯時の輝度を制御する。メモリ７は、着脱可能なメモリーカードなどによって構成される。撮影モードにおいて、メモリ７は画像処理回路３でフォーマット変換された画像データを記録する。再生モードにおいて、メモリ７に記録されている画像データが読み出されて画像処理回路３へ送られる。画像処理回路３は、再生画像を表示するための映像信号を生成する。
【００１２】
操作部材８は、電源スイッチ（メインスイッチ）、ズームスイッチ、設定スイッチ、半押しスイッチ、レリーズ（全押し）スイッチなどを含み、各操作に応じた操作信号を発生してＣＰＵ１１へ送出する。
【００１３】
フォーカス制御機構９は、ＣＰＵ１１からの指令に応じてフォーカスレンズ１ｂを駆動制御する。ズーム制御機構１０は、ＣＰＵ１１からの指令に応じてズームレンズ１ａを駆動制御する。
【００１４】
ＣＰＵ１１は、操作部材８から入力される操作信号に応じて各ブロックへ指令を出力し、カメラ動作を制御する。
【００１５】
本発明は、上記電子カメラの輝度制御回路６によるバックライト５の点灯輝度制御に特徴を有する。
【００１６】
電子カメラのＣＰＵ１１によって行われるカメラ処理の流れについて、図２のフローチャートを参照して説明する。図２によるプログラムは、操作部材８を構成するメインスイッチのオン操作信号がＣＰＵ１１へ入力されると起動される。図２のステップＳ００１において、ＣＰＵ１１は、電源オン処理を行ってステップＳ００２へ進む。具体的には、各部の設定を初期状態にするリセット処理を行い、各部に対して撮影に必要な準備を行わせる。ＣＰＵ１１はさらに、輝度制御回路６へ指令を送ってバックライト５を点灯させる。バックライト５の点灯輝度は、輝度制御回路６による制御輝度の最大値（１００％出力）とする。これにより、表示装置４が最も見やすい状態に透過照明されるとともに、表示装置４には撮像素子２で撮像されているスルー画像が表示される。
【００１７】
ステップＳ００２において、ＣＰＵ１１は電池（不図示）の残量を検出するバッテリーチェックを行ってステップＳ００３へ進む。ステップＳ００３において、ＣＰＵ１１はＡＥ処理を行ってステップＳ００４へ進む。具体的には、撮像信号に含まれる輝度情報を用いて周知の露出演算を行い、適正露出が得られるように絞り値およびシャッター速度を算出する。
【００１８】
ステップＳ００４において、ＣＰＵ１１は、ＡＦ処理を行ってステップＳ００５へ進む。具体的には、フォーカスレンズ１ｂを至近端から無限遠端まで移動させながら撮像信号に含まれる高周波数成分を用いて焦点評価値を演算し、焦点評価値の極大値に対応するフォーカスレンズレンズ位置を合焦レンズ位置とする。
【００１９】
ステップＳ００５において、ＣＰＵ１１は、ステップＳ００３における測光結果から周囲の明るさ（輝度）が高輝度か否かを判定する。ＣＰＵ１１は、検出輝度が所定輝度より高い場合にステップＳ００６へ進み、所定輝度以下の場合にはステップＳ００７へ進む。ステップＳ００６において、ＣＰＵ１１は、タイムアップ時間Ｔを長い時間Ｌ（たとえば、１５秒）にセットしてステップＳ００８へ進む。ステップＳ００７において、ＣＰＵ１１は、タイムアップ時間Ｔを標準時間Ｍ（たとえば、１０秒）にセットしてステップＳ００８へ進む。
【００２０】
ステップＳ００８において、ＣＰＵ１１は、ステップＳ００２におけるバッテリーチェック結果から電源の残量が少ないか否かを判定する。ＣＰＵ１１は、電池残量が所定残量より少ない場合にステップＳ００９へ進み、所定残量以上の場合にはステップＳ０１０へ進む。ステップＳ００９において、ＣＰＵ１１は、タイムアップ時間Ｔを短い時間Ｓ（たとえば、５秒）にセットしてステップＳ０１０へ進む。
【００２１】
ステップＳ００５〜ステップＳ００９までの処理では、電池残量が少ない状態ではタイムアップ時間が短く（５秒）、電池残量が十分で外光輝度が高い場合はタイムアップ時間が長く（１５秒）、電池残量が十分で外光輝度が高くない場合にはタイムアップ時間が標準（１０秒）にセットされる。
【００２２】
ステップＳ０１０において、ＣＰＵ１１は、操作部材８のいずれからも操作信号が入力されない状態（無操作状態）になってからの経過時間Ｐについて、上記タイムアップ時間Ｔと比較する。ＣＰＵ１１は、Ｐ≧Ｔが成立する場合にステップＳ０１１へ進み、Ｐ≧Ｔが成立しない場合にはステップＳ０１２へ進む。ＣＰＵ１１は、図２による処理を実行中は経過時間Ｐを常に計時する。
【００２３】
ステップＳ０１１において、ＣＰＵ１１は、バックライト５の輝度をダウンさせるためのフラグを設定してステップＳ１０１へ進む。ステップＳ０１２において、ＣＰＵ１１は、バックライト５の輝度をアップさせるためのフラグを設定してステップＳ１０１へ進む。
【００２４】
ステップＳ１０１において、ＣＰＵ１１は、操作部材８が操作されたか否かを判定する。ＣＰＵ１１は、操作部材８から操作信号が入力されるとステップＳ１０１を肯定判定してステップＳ１０２へ進み、操作信号が入力されない場合にはステップＳ１０１を否定判定し、ステップＳ００２へ戻る。
【００２５】
ステップＳ１０２において、ＣＰＵ１１は、経過時間Ｐを０にリセットしてステップＳ１０３へ進む。ステップＳ１０３において、ＣＰＵ１１は、半押しスイッチが操作されたか否かを判定する。ＣＰＵ１１は、操作信号が半押し操作信号である場合にステップＳ１０３を肯定判定してステップＳ１０４へ進み、操作信号が半押し操作信号でない場合にはステップＳ１０３を否定判定し、ステップＳ３０１へ進む。
【００２６】
ステップＳ１０４において、ＣＰＵ１１は輝度制御回路６へ指令を送り、バックライト５の点灯輝度を輝度制御回路６による制御輝度の最大値（１００％出力）とする。これにより、表示装置４が最大輝度で最も見やすい状態にされる。ステップＳ１０５において、ＣＰＵ１１は、バックライト５の輝度をアップさせるためのフラグを設定してステップＳ１０６へ進む。このフラグセットにより、後述する割り込み処理が行われると半押し操作中および撮影中において表示装置４の最大輝度が維持される。
【００２７】
ステップＳ１０６において、ＣＰＵ１１はＡＥ処理を行ってステップＳ１０７へ進む。これにより、最新の輝度情報を用いて露出演算が行われる。ステップＳ１０７において、ＣＰＵ１１はＡＦ処理を行ってステップＳ１０８へ進む。これにより、最新の焦点評価値に基づいてピント合わせが行われる。
【００２８】
ステップＳ１０８において、ＣＰＵ１１は、輝度情報から得られる測光値およびピント調節状態を固定するＡＥロックおよびＡＦロックを行ってステップＳ１０９へ進む。ステップＳ１０９において、ＣＰＵ１１は、レリーズスイッチが操作されたか否かを判定する。ＣＰＵ１１は、操作信号がレリーズ操作信号である場合にステップＳ１０９を肯定判定してステップＳ１１０へ進み、操作信号がレリーズ操作信号でない場合にはステップＳ１０９を否定判定し、ステップＳ１１１へ進む。
【００２９】
ステップＳ１１０において、ＣＰＵ１１は撮影処理を行ってステップＳ２０１へ進む。これにより、画像処理後にフォーマット変換された画像データがメモリ７に記録され、スチル画が表示装置４に所定時間表示される。
【００３０】
ステップＳ１１１において、ＣＰＵ１１は、半押しスイッチが継続して操作されているか否かを判定する。ＣＰＵ１１は、半押し操作信号が継続されている場合にステップＳ１１１を肯定判定してステップＳ１０９へ戻り、半押し操作信号が入力されていない場合にはステップＳ１１１を否定判定し、ステップＳ２０１へ進む。ステップＳ１０９へ戻る場合は、レリーズスイッチが操作されるのを待つ場合である。
【００３１】
ステップＳ２０１において、ＣＰＵ１１は、経過時間Ｐを０にリセットしてステップＳ００２へ戻る。これにより、半押し操作に伴う半押し動作、およびレリーズ操作に伴うレリーズ動作が終了する。
【００３２】
上述したステップＳ１０３を否定判定して進むステップＳ３０１において、ＣＰＵ１１は、電源スイッチがオフされたか否かを判定する。ＣＰＵ１１は、操作信号が電源オフ操作信号である場合にステップＳ３０１を肯定判定してステップＳ３０２へ進み、操作信号が電源オフ操作信号でない場合にはステップＳ３０１を否定判定し、ステップＳ３０３へ進む。
【００３３】
ステップＳ３０２において、ＣＰＵ１１は電源オフ処理を行って図２による処理を終了する。具体的には、輝度制御回路６へ指令を送ってバックライト５を消灯させるとともに、電源オフ処理を行う。
【００３４】
ステップＳ３０３において、ＣＰＵ１１は、入力された操作信号に応じて所定の動作を行ってステップＳ００２へ戻る。所定の動作は、たとえば、ズーム操作信号が入力された場合は操作量に応じてズームレンズ１ａを駆動して撮影画角を変化させる。また、設定操作信号が入力された場合には操作信号に応じてカメラの設定変更（シャッター速度や絞り値等）を行う。
【００３５】
以上説明した図２の処理によれば、何らかの操作が行われて操作部材８から操作信号が入力されると経過時間Ｐが０にリセットされるので、操作部材８によって何らかの操作が行われる限りステップＳ０１０からステップＳ０１２へ進む。したがって、バックライト５の輝度をダウンさせるためのフラグが設定されることがないため、表示装置４を照明するバックライト５の最大輝度が維持される。
【００３６】
また、バックライト５の輝度をダウンさせた状態で何らかの操作が行われて操作部材８から操作信号が入力されると経過時間Ｐが０にリセットされるので、ステップＳ０１０からステップＳ０１２へ進む。これによってバックライト５の輝度をアップさせるためのフラグが設定されるため、後述する割り込み処理が行われると、ダウンされているバックライト５の点灯輝度がアップされる。
【００３７】
タイマー割り込み処理の詳細について、図３のフローチャートを参照して説明する。図２による処理を実行中のＣＰＵ１１は、所定時間ごとに割り込み処理を行うように構成されている。
【００３８】
図３のステップＴ００１において、ＣＰＵ１１は、バックライト５の輝度に関するフラグの設定状態をチェックする。ＣＰＵ１１は、輝度をダウンさせるためのフラグが設定されている場合にステップＴ００２へ進み、輝度をアップさせるためのフラグが設定されている場合にはステップＴ００４へ進む。
【００３９】
ステップＴ００２において、ＣＰＵ１１は、バックライト５の点灯輝度が所定値（たとえば、最大値の半分（５０％出力））まで下げられているか否かを判定する。ＣＰＵ１１は、輝度レベル＝５０％の場合にステップＴ００２を肯定判定してステップＴ００５へ進み、輝度レベル＝５０％が成立しない場合にはステップＴ００２を否定判定し、ステップＴ００３へ進む。ステップＴ００５へ進む場合は、輝度レベルが所定値まで下げられているので、さらなる輝度ダウンが必要ない場合である。
【００４０】
ステップＴ００４において、ＣＰＵ１１は輝度制御回路６へ指令を送り、バックライト５の点灯輝度を現在の輝度レベルより１％低下させてステップＴ００５へ進む。これにより、タイマー割り込み処理が行われるごとにバックライト５の点灯輝度が１％ずつ段階的に低下する。たとえば、タイマー割り込み間隔が１００msecである場合、５０％の輝度まで約５secかけてゆっくり下がる。
【００４１】
ステップＴ００４において、ＣＰＵ１１は輝度制御回路６へ指令を送り、バックライト５の点灯輝度を最大値（１００％出力）に上げる。これにより、表示装置４が最大輝度で最も見やすい状態にされる。輝度を高める場合は１００％出力まで一回の処理で瞬時に上げる。
【００４２】
ステップＴ００５において、ＣＰＵ１１は、経過時間Ｐをカウントアップ（＋１）してステップＴ００６へ進む。ステップＴ００６において、ＣＰＵ１１は、その他のタイマー割り込み処理を行って図３による処理を終了する。具体的には、表示時間のカウントや点滅表示動作などを行う。このようなその他のタイマー割り込み処理が不要な場合は当該処理をスキップしてもよい。
【００４３】
図４は、以上説明した処理によって行われるバックライト５の点灯輝度変化を説明するタイムチャートである。図４において横軸は時間を表し、縦軸は点灯輝度を表す。無操作状態の継続時間がタイムアップ時間Ｔに達した以降のタイミングｔ１において、バックライト５の点灯輝度が徐々に低下を開始する。操作部材８が操作されない限り、バックライト５の点灯輝度は最大輝度の５０％まで低下する。バックライト５の点灯輝度が５０％輝度まで低下したタイミングｔ２以降は、５０％輝度が保持される。タイミングｔ３において操作部材８が操作されると、バックライト５の点灯輝度が１００％に復帰する。
【００４４】
以上説明した実施形態によれば、次の作用効果が得られる。
（１）電子カメラの無操作状態が少なくともタイムアップ時間Ｔ継続されると、表示装置４を透過照明するバックライト５の点灯輝度を所定輝度（上記の例では最大輝度の５０％）まで徐々に低下させるようにした。したがって、カメラに対する設定変更（シャッター速度や絞り値等）内容を表示画面で確認するとき、撮影画角の変更内容を表示画面で確認するとき、フレーミングを表示画面で確認するときなど、カメラに対して何らかの操作を行っている間は表示画面の輝度が高く保持される（最大輝度）ので、撮影者は明るい表示画面で容易に確認することができる。一方、シャッターチャンス待ちなどの無操作状態では、表示画面の輝度を低下させて消費電力を低減することができる。また、表示輝度の低下を徐々に行うことによって表示装置４を観察する撮影者の目が輝度変化に慣れるので、表示輝度を急激に低下させる場合と異なり、表示装置４を観察する撮影者の見やすさを損なうことがない。
【００４５】
（２）外光輝度が高い場合にはタイムアップ時間Ｔを長くする（ステップＳ００６）ようにしたので、周囲が明るい状況では表示装置４を最大輝度で表示する時間を長くして、画面の見やすさを優先させることができる。
【００４６】
（３）外光輝度が高くない場合にはタイムアップ時間Ｔを標準にする（ステップＳ００７）ようにしたので、表示装置４を必要以上に最大輝度で表示することがなく、消費電力を抑えることができる。
【００４７】
（４）電池残量が少ない場合はタイムアップ時間Ｔを短くする（ステップＳ００９）ようにしたので、表示装置４を最大輝度で表示する時間を抑えて消費電力の低減を優先させ、電池寿命を延ばすことができる。
【００４８】
（５）表示装置４の表示輝度を低下させた状態で操作部材８が操作されると、ただちにバックライト５の点灯輝度を１００％に復帰させるので、表示装置４の画面がすぐに見やくなる。
【００４９】
図４の区間Ｂにおいて、バックライト５の点灯輝度を徐々に低下させるようにしたが、低下率は必ずしも一定でなくてもよい。ただし、表示装置４を観察する人の視覚が追従できる範囲（急激な輝度変化によって表示画像が見づらくなることがない程度）で輝度低下率を可変にしてもよい。
【００５０】
図４の輝度変化量Ｃは必ずしも５０％でなくてもよい。たとえば、外光（周辺）輝度が高い場合は輝度変化量を小さく（たとえば、下限値を８０％として２０％低下させる）、外光輝度が低い場合には輝度変化量を大きく（たとえば、下限値を３０％として７０％低下させる）するようにしてもよい。
【００５１】
外光輝度が低い場合にはタイムアップ時間Ｔを短くするようにしてもよい。
【００５２】
電池残量が十分確保されている場合にはタイムアップ時間Ｔを長くするようにしてもよい。
【００５３】
図４のタイミングｔ３でバックライト５の点灯輝度を１００％に復帰させるとき、１回の処理で瞬時に復帰するように説明したが、電源の負荷変動などを考慮して５０％輝度→７０％輝度→１００％輝度というように段階的に復帰させてもよい。ただし、区間Ｂにおける減光速度より速い増光速度とするように制御する。
【００５４】
本発明は、画像を表示する表示装置４の他にも、テキストやマークなど表示する表示装置に対しても適用できる。
【００５５】
以上の説明では、透過型液晶表示パネルをバックライトで照明する例を説明したが、有機ＥＬディスプレイ装置やプラズマディスプレイ装置などの自己発光型の表示装置にも本発明を提供できる。この場合には、バックライト５の点灯輝度の代わりに、自己発光輝度を変化させるようにする。
【００５６】
特許請求の範囲における各構成要素と、発明を実施するための最良の形態における各構成要素との対応について説明する。表示手段は、たとえば、表示装置４およびバックライト５によって構成される。輝度調節手段は、たとえば、輝度制御回路６によって構成される。操作手段は、たとえば、操作部材８によって構成される。制御手段、電源状態検出手段、および輝度情報検出手段は、たとえば、ＣＰＵ１１によって構成される。電源状態は、たとえば、電池残量が対応する。なお、本発明の特徴的な機能を損なわない限り、各構成要素は上記構成に限定されるものではない。
【図面の簡単な説明】
【００５７】
【図１】本発明の一実施の形態による電子カメラのブロック図である。
【図２】電子カメラのＣＰＵによって行われるカメラ処理の流れを説明するフローチャートである。
【図３】タイマー割り込み処理について説明するフローチャートである。
【図４】バックライトの点灯輝度変化を説明するタイムチャートである。
【符号の説明】
【００５８】
１…撮影レンズ
２…撮像素子
３…画像処理回路
４…表示装置
５…バックライト
６…輝度制御回路
７…メモリ
８…操作部材
１１…ＣＰＵ
【図１】
2006157347.tif 000003
【図２】
2006157347.tif 000004
【図３】
2006157347.tif 000005
【図４】
2006157347.tif 000006